(57)【要約】【課題】部品点数が一点になり、構造を単純にすることができると共に、振動にも強い架空ケーブルの吊架具および吊架方法を提供すること。【解決手段】一枚の平板からなり、その平板は、ボルト孔１１ａが設けられたボルト連結板部１１と、ボルト連結板部１１の両側からそれぞれ横方向に延設された一対の腕部１２，１２と、その一対の腕部１２，１２それぞれの両端部に設けられケーブル支持線を覆うようにケーブル支持線２の円周方向に断面コ字状に折曲げられた一対の第一掛止片部１３，１３と、その一対の第一掛止片部１３，１３間に一定間隔だけ離れたボルト連結板部１１または一対の腕部１２，１２から折曲げて設けられた一対の第二掛止片部１４，１４と、その一対の第二掛止片部１４，１４間にボルト連結板部１１から延設して設けられ、ケーブル支持線を覆うように折曲げられた第三掛止片部１５とを有する。【選択図】図１
2015033197.tif 000002
【特許請求の範囲】
【請求項１】
架空ケーブルを電柱等の支柱に添架する架空ケーブルの吊架具であって、
支柱側から延びる固定ボルトが挿入されるボルト孔が設けられたボルト連結板部と、
そのボルト連結板部の両側からそれぞれ横方向に延設された一対の腕部と、
その一対の腕部それぞれの両端部に設けられ、前記架空ケーブルの外周面を掛止するように折曲げられた一対の第一掛止片部と、
その一対の第一掛止片部間に一定間隔だけ離れた前記ボルト連結板部または前記一対の腕部から折曲げて設けられた一対の第二掛止片部と、
その一対の第二掛止片部間に前記ボルト連結板部から延設して設けられ、前記架空ケーブルの外周面を掛止するように折曲げられた第三掛止片部と
を有することを特徴とする架空ケーブルの吊架具。
【請求項２】
請求項１記載の架空ケーブルの吊架具において、
前記ボルト連結板部の長手方向の中心に向かって、前記一対の第一掛止片部、前記一対の第二掛止片部および前記第三掛止片部それぞれがその順に漸次下方に位置するよう各掛止片部を設けたことを特徴とする架空ケーブルの吊架具。
【請求項３】
請求項２記載の架空ケーブルの吊架具において、
前記一対の腕部は、それぞれ前記ボルト連結板部と面一な鉛直側面部と、その鉛直側面部に対し折り曲げられた折曲げ部とを有し、
前記一対の第一掛止片部は、前記腕部の鉛直側面部の上端部から前記腕部の折曲げ部に対し対向するように折り曲げて設けられている一方、
前記一対の第二掛止片部は、前記腕部の折曲げ部の先端部から上方へ突出して設けられており、
前記第三掛止片部は、前記ボルト連結板部の下端部から下方へ突出した後、前記一対の第一掛止片部および一対の第二掛止片部側と同じ側に折り曲げられて設けられていることを特徴とする架空ケーブルの吊架具。
【請求項４】
請求項２記載の架空ケーブルの吊架具において、
前記一対の腕部は、それぞれ前記ボルト連結板部と面一な鉛直側面部と、その鉛直側面部に対し折り曲げられた折曲げ部とを有し、
前記一対の第一掛止片部は、前記腕部の鉛直側面部から上方へ突出した後、前記腕部の折曲げ部とは反対側である前記支柱側へ折り曲げて設けられている一方、
前記一対の第二掛止片部は、前記腕部の折曲げ部の先端部から上方へ突出して設けられており、
前記第三掛止片部は、前記ボルト連結板部の下端部から下方へ突出した後、前記一対の第二掛止片部側と同じ側に折り曲げられて設けられていることを特徴とする架空ケーブルの吊架具。
【請求項５】
請求項１記載の架空ケーブルの吊架具において、
前記一対の腕部は、それぞれ前記ボルト連結板部と面一な鉛直側面部を有しており、
前記一対の第一掛止片部は、前記腕部の鉛直側面部の下端部から前記支柱とは反対側へ折り曲げて設けられている一方、
前記一対の第二掛止片部は、前記腕部の鉛直側面部の下端部から前記支柱とは反対側へ折り曲げて設けられ、
前記第三掛止片部は、前記一対の第一掛止片部および一対の第二掛止片部側と同じ側に折り曲げられて設けられていることを特徴とする架空ケーブルの吊架具。
【請求項６】
請求項１〜請求項５のいずれか一の請求項に記載の架空ケーブルの吊架具において、
前記ボルト連結板部には、前記架空ケーブルを通す長手方向に沿って横一列に前記ボルト孔が複数穿孔されていることを特徴とする架空ケーブルの吊架具。
【請求項７】
請求項１〜６のいずれか一の請求項に記載の架空ケーブルの吊架具を用いた架空ケーブルの吊架方法であって、
前記架空ケーブルを前記一対の第一掛止片部の一方から挿入し、次いで前記一対の第二掛止片部の一方、前記第三掛止片部と順に交互に上下半側と当接するよう掛止し、その後前記一対の第二掛止片部の他方、前記一対の第一掛止片部の他方という順に交互に上下半側と当接して掛止させながら前記架空ケーブルを挿通することを特徴とする架空ケーブルの吊架方法。
【発明の詳細な説明】
【技術分野】
【０００１】
本発明は、ケーブル支持線等の架空ケーブルを電柱等の支柱に添架するために使用する架空ケーブルの吊架具および吊架方法に関するものである。
【背景技術】
【０００２】
ケーブル支持線等の架空ケーブルの吊架具として、例えば、光ケーブルから分離したケーブル支持線を引き通しする溝孔または係止片からなる引通し部を所定間隔で３個以上配置してある支持部材の個々の引通し部にケーブル支持線を引き通し、ケーブル支持線の挿入側と脱出側が支持部材の同一面側上に形成され、この支持部材の中央に設けた着脱自在の掛止片部を電柱などの支柱に配設してあるバンドのフックに掛止するものを提案している（例えば、特許文献１参照。）。
【先行技術文献】
【特許文献】
【０００３】
【特許文献１】特開２００７−３０４５１４号公報
【発明の概要】
【発明が解決しようとする課題】
【０００４】
しかし、前述の特許文献１に記載の架空ケーブルの吊架具は、ケーブル支持線を支持する支持部材と、支柱に配設してあるバンドのフックに掛止する掛止片部とを別部材で構成している。
【０００５】
そのため、架空ケーブルの吊架具の部品点数が２点になると共に、支持部材と掛止片部とを連結する必要があるので、構造が複雑になるという問題がある。
【０００６】
また、ケーブル支持線を支持する支持部材を別部材の掛止片部を介して支柱に取り付ける構成であるため、振動により通信ケーブルやケーブル支持線、さらには支持部材等が揺れた場合、支柱に留めた掛止片部から支持部材が脱落するおそれがあった。
【０００７】
そこで、本発明はこのような問題点に鑑みてなされたもので、部品点数が一点になり、構造を単純にすることができると共に、振動にも強い架空ケーブルの吊架具および吊架方法を提供することを目的とする。
【課題を解決するための手段】
【０００８】
上記課題を解決するため、本発明に係る架空ケーブルの吊架具は、架空ケーブルを電柱等の支柱に添架する架空ケーブルの吊架具であって、支柱側から延びる固定ボルトが挿入されるボルト孔が設けられたボルト連結板部と、そのボルト連結板部の両側からそれぞれ横方向に延設された一対の腕部と、その一対の腕部それぞれの両端部に設けられ、前記架空ケーブルの外周面を掛止するように折曲げられた一対の第一掛止片部と、その一対の第一掛止片部間に一定間隔だけ離れた前記ボルト連結板部または前記一対の腕部から折曲げて設けられた一対の第二掛止片部と、その一対の第二掛止片部間に前記ボルト連結板部から延設して設けられ、前記架空ケーブルの外周面を掛止するように折曲げられた第三掛止片部とを有することを特徴とする。
ここで、前記ボルト連結板部の長手方向の中心に向かって、前記一対の第一掛止片部、前記一対の第二掛止片部および前記第三掛止片部それぞれがその順に漸次下方に位置するよう各掛止片部を設けると良い。
また、前記一対の腕部は、それぞれ前記ボルト連結板部と面一な鉛直側面部と、その鉛直側面部に対し折り曲げられた折曲げ部とを有し、前記一対の第一掛止片部は、前記腕部の鉛直側面部の上端部から前記腕部の折曲げ部に対し対向するように折り曲げて設けられている一方、前記一対の第二掛止片部は、前記腕部の折曲げ部の先端部から上方へ突出して設けられており、前記第三掛止片部は、前記ボルト連結板部の下端部から下方へ突出した後、前記一対の第一掛止片部および一対の第二掛止片部側と同じ側に折り曲げられて設けられているとさらに良い。
また、前記一対の腕部は、それぞれ前記ボルト連結板部と面一な鉛直側面部と、その鉛直側面部に対し折り曲げられた折曲げ部とを有し、前記一対の第一掛止片部は、前記腕部の鉛直側面部から上方へ突出した後、前記腕部の折曲げ部とは反対側である前記支柱側へ折り曲げて設けられている一方、前記一対の第二掛止片部は、前記腕部の折曲げ部の先端部から上方へ突出して設けられており、前記第三掛止片部は、前記ボルト連結板部の下端部から下方へ突出した後、前記一対の第二掛止片部側と同じ側に折り曲げられて設けられているとさらに良い。
また、前記一対の腕部は、それぞれ前記ボルト連結板部と面一な鉛直側面部を有しており、前記一対の第一掛止片部は、前記腕部の鉛直側面部の下端部から前記支柱とは反対側へ折り曲げて設けられている一方、前記一対の第二掛止片部は、前記腕部の鉛直側面部の下端部から前記支柱とは反対側へ折り曲げて設けられ、前記第三掛止片部は、前記一対の第一掛止片部および一対の第二掛止片部側と同じ側に折り曲げられて設けられているとさらに良い。
また、前記ボルト連結板部には、前記架空ケーブルを通す長手方向に沿って横一列に前記ボルト孔が複数穿孔されているとさらに良い。
また、本発明に係る架空ケーブルの吊架方法は、上述のいずれかの架空ケーブルの吊架具を用いた架空ケーブルの吊架方法であって、前記架空ケーブルを前記一対の第一掛止片部の一方から挿入し、次いで前記一対の第二掛止片部の一方、前記第三掛止片部と順に交互に上下半側と当接するよう掛止し、その後前記一対の第二掛止片部の他方、前記一対の第一掛止片部の他方という順に交互に上下半側と当接して掛止させながら前記架空ケーブルを挿通することを特徴とする。
【発明の効果】
【０００９】
本発明に係る架空ケーブルの吊架具および吊架方法では、一枚の平板からなり、その平板は、ボルト連結板部と、一対の腕部と、一対の第一掛止片部と、一対の第二掛止片部と、第三掛止片部とを有するため、吊架具の部品点数が一点になり、吊架具の構造を単純にすることができる。また、従来では支持部材と別部材の掛止片部により支柱に吊り下げる構造であったのに対し、支柱側から延びる固定ボルトに直接、ボルト連結板部を固定できるため、振動にも強い架空ケーブルの吊架具を提供できる。
【図面の簡単な説明】
【００１０】
【図１】本発明に係る実施形態１の架空ケーブルの吊架具の斜視図である。
【図２】（ａ），（ｂ）それぞれ本発明に係る実施形態１の架空ケーブルの吊架具の平面図、正面図である。
【図３】本発明に係る実施形態１の架空ケーブルの吊架具の背面図である。
【図４】本発明に係る実施形態１の架空ケーブルの吊架具における第一掛止片部、第二掛止部および第三掛止片部の上下関係を示す拡大正面図である。
【図５】本発明に係る実施形態１の架空ケーブルの吊架具を支柱に取り付けてケーブル支持線を引き留めた状態を示す斜視図である。
【図６】（ａ），（ｂ）それぞれケーブル支持線を引き留めさせた状態の本発明に係る実施形態１の架空ケーブルの吊架具の平面図、正面図である。
【図７】（ａ），（ｂ）それぞれ本発明に係る実施形態２の架空ケーブルの吊架具の平面図、正面図である。
【図８】本発明に係る実施形態２の架空ケーブルの吊架具を支柱に取り付けてケーブル支持線を引き留めた状態を示す斜視図である。
【図９】（ａ），（ｂ）それぞれケーブル支持線を引き留めさせた状態の本発明に係る実施形態２の架空ケーブルの吊架具の平面図、正面図である。
【図１０】（ａ），（ｂ）それぞれ本発明に係る実施形態３の架空ケーブルの吊架具の平面図、正面図である。
【図１１】本発明に係る実施形態３の架空ケーブルの吊架具の背面図である。
【図１２】本発明に係る実施形態３の架空ケーブルの吊架具を支柱に取り付けてケーブル支持線を引き留めた状態を示す斜視図である。
【図１３】（ａ），（ｂ）それぞれケーブル支持線を引き留めさせた状態の本発明に係る実施形態３の架空ケーブルの吊架具の平面図、正面図である。
【図１４】本発明に係る実施形態４の架空ケーブルの吊架具の正面図である。
【図１５】本発明に係る実施形態４の架空ケーブルの吊架具を支柱に取り付けてケーブル支持線を引き留めた状態を示す斜視図である。
【発明を実施するための形態】
【００１１】
次に、本発明に係る架空ケーブルの吊架具の実施形態１〜３について説明する。
【００１２】
実施の形態１．
まず、実施形態１の架空ケーブルの吊架具１について説明する。
【００１３】
図１、図２（ａ），（ｂ）、図３、図４は、それぞれ、実施形態１の吊架具１の斜視図、平面図、正面図、背面図、拡大正面図である。また、図５は、実施形態１の吊架具１を支柱３に取り付けてケーブル支持線２を引き留めた状態を示す斜視図、図６（ａ），（ｂ）は、それぞれケーブル支持線２を引き留めさせた状態の実施形態１の吊架具１の平面図、正面図である。
【００１４】
実施形態１の吊架具１は、図１〜図６に示すように、例えば、光ケーブル等の通信用ケーブル（図示せず。）を支持するケーブル支持線２を架空ケーブルとして支柱３に添架するもので、金属板やＦＲＰ等からなる一枚の平板を折曲げる等して、ボルト連結板部１１と、腕部１２，１２と、一対の第一掛止片部１３，１３と、一対の第二掛止片部１４，１４と、第三掛止片部１５とを有している。なお、ケーブル支持線２において吊架具１に当る部分には、ラインガード等の金属性の被覆カバー２１を設けている。なお、架空ケーブルとして通信用ケーブルを支持するケーブル支持線２は、あくまで一例であり、本発明では他の架空ケーブルに対しても勿論適用可能である。
【００１５】
ボルト連結板部１１は、図４に示すように支柱３側から延びる固定ボルト３１が挿入される１つのボルト孔１１ａが設けられている。このボルト孔１１ａは、図２(ｂ)や図３に示すように、ほぼ真円の丸孔である。
【００１６】
腕部１２，１２は、ボルト連結板部１１の両側から延設されて設けられるもので、それぞれボルト連結板部１１と面一な鉛直側面部１２ａ，１２ａと、その鉛直側面部１２ａ，１２ａに対し折り曲げられた折曲げ部１２ｂ，１２ｂとを有して断面アングル形状に形成されている。この腕部１２，１２にそれぞれ一対の第一掛止片部１３，１３および一対の第二掛止片部１４，１４が設けられている。
【００１７】
一対の第一掛止片部１３，１３は、それぞれ、ボルト連結板部１１の両側から一定間隔だけ離れた腕部１２，１２それぞれの両端部にそれぞれ設けられ、その腕部１２，１２の鉛直側面部１２ａ，１２ａから上方へ突出した後、腕部１２，１２の折曲げ部１２ｂ，１２ｂに対向する側、すなわち支柱３からは離れる方向にほぼ直角に折り曲げられて少なくとも被覆カバー２１で覆われたケーブル支持線２の太さ以上は突出した後、ほぼ直角に鉛直下方に折り曲げられて、被覆カバー２１で覆われたケーブル支持線２の外周面を覆うようにケーブル支持線２の円周方向に断面コ字状に折曲げて構成されている。
【００１８】
そのため、実施形態１の架空ケーブルの吊架具１の一対の第一掛止片部１３，１３は、下部開口の断面コ字状形状となるため、図５や図６（ａ），（ｂ）に示すように、第一掛止片部１３，１３の下側をケーブル支持線２が通ることになる。
【００１９】
ここで、一対の第一掛止片部１３，１３それぞれの先端側面１３ａ、１３ａそれぞれの第三掛止片部１５側には、図１や図２（ｂ）、図４等に示すように傾斜辺部１３ａ１，１３ａ１を設けている。そのため、一対の第一掛止片部１３，１３にケーブル支持線２を掛止する際には、一対の第一掛止片部１３，１３の先端側面１３ａ、１３ａそれぞれの傾斜辺部１３ａ，１３ａにより、ケーブル支持線２を容易に掛止できる。
【００２０】
また、一対の第二掛止片部１４，１４は、それぞれ、図２（ｂ）等に示すようにその一対の第一掛止片部１３，１３間に一定間隔だけ離れた位置に設けられており、図１や図２（ａ）等に示すように腕部１２，１２の折曲げ部１２ｂ，１２ｂから上方へ折り曲げて構成されている。そのため、実施形態１の第二掛止片部１４，１４は、上部開口の断面コ字状形状となるため、図５や図６（ａ），（ｂ）に示すように、第二掛止片部１４，１４の上側をケーブル支持線２が通ることになる。
【００２１】
ここで、一対の第二掛止片部１４，１４それぞれの先端部（上端部）は、図１や図２（ｂ）等に示すように正面視左右両側にそれぞれ傾斜辺部１４ａ，１４ｂが形成されて、正面視山形形状に形成されている。このため、一対の第二掛止片部１４，１４の上側をケーブル支持線２を通して掛止する際には、一対の第二掛止片部１４，１４の先端部（上端部）の山形形状により、ケーブル支持線２を容易に掛止することができる。
【００２２】
第三掛止片部１５は、一対の第二掛止片部１４，１４間であるボルト連結板部１１の長手方向の中央にそのボルト連結板部１１の下端部から面一で突出した後、一対の第一掛止片部１３，１３および一対の第二掛止片部側１４，１４と同じ側にほぼ直角に折れ曲った後、再度、ボルト連結板部１１と面一になるように下方にほぼ直角に折り曲げて設けられている。そのため、実施形態１の第三掛止片部１５は、図５や図６（ａ），（ｂ）に示すように、第三掛止片部１５の下側をケーブル支持線２が通ることになる。
【００２３】
次に、上述のように構成された実施形態１の吊架具１を用いたケーブル支持線２の吊架方法について説明すると、まずは、ケーブル支持線２を一対の第一掛止片部１３，１３の一方から挿入し、次いで一対の第二掛止片部１４，１４の一方、第三掛止片部１５と順に交互に上下半側と当接するよう掛止し、その後他方側である一対の第二掛止片部１４，１４の他方、一対の第一掛止片部１３，１３の他方という順に交互に上下半側と当接するようケーブル支持線２を挿通する。
【００２４】
その結果、図５や図６（ａ），（ｂ）に示すようにケーブル支持線２を実施形態１の吊架具１に引き留めることができる。なお、図５において、４ａは支柱３から突出した固定ボルト、４ｂはナット、４ｃはワッシャであり、支柱３から突出した固定ボルト４ａを、吊架具１のボルト連結板部１１のボルト孔１１ａに挿入し、ワッシャ４ｃを介してナット４ｂにより固定する。
【００２５】
ここで、実施形態１の吊架具１では、図４等に示すように、一対の第一掛止片部１３，１３、一対の第二掛止部１４，１４、第三掛止片部１５の順に漸次下方に位置するよう各掛止片部１３〜１５を設けている。
【００２６】
具体的には、図４に示すように、一対の第一掛止片部１３，１３の上側面１３ｂの裏面１３ｂ１と、一対の第二掛止部１４，１４の底側面となる腕部１２の折曲げ部１２ｂの表面１２ｂ１との高さの差はｈ１となり、ｈ１だけ腕部１２の折曲げ部１２ｂの表面１２ｂ１よりも一対の第一掛止片部１３，１３の方を高くしている。
【００２７】
また、一対の第二掛止部１４，１４の底側面となる腕部１２の折曲げ部１２ｂの表面１２ｂ１と、第三掛止片部１５の上側面１５ｂの表面１５ｂ１との差をｈ２として、ｈ２だけ第三掛止片部１５の上側面１５ｂの表面１５ｂ１よりも腕部１２の折曲げ部１２ｂの表面１２ｂ１の方を高くしている。その結果、腕部１２の折曲げ部１２ｂの表面１２ｂ１と、ケーブル支持線２が通る第三掛止片部１５の上側面１５ｂの裏面１５ｂ２との差はｈ３となり、ｈ３だけケーブル支持線２が通る第三掛止片部１５の上側面１５ｂの裏面１５ｂ２よりも腕部１２の折曲げ部１２ｂの表面１２ｂ１の方が高いことになる。
【００２８】
従って、実施形態１の吊架具１は、一枚の平板からなり、その平板は、ボルト連結板部１１と、一対の腕部１２，１２と、一対の第一掛止片部１３，１３と、一対の第二掛止片部１４，１４と、第三掛止片部１５とを有するため、吊架具１の部品点数が一点になり、吊架具１の構造を単純にすることができると共に、振動にも強いケーブル支持線２の吊架具１を提供できる。
【００２９】
特に、実施形態１の吊架具１では、ケーブル支持線２は、ボルト連結板部１１の表側、すなわち支柱３とは反対側から一対の第一掛止片部１３，１３、一対の第二掛止部１４，１４および第三掛止片部１５に対して掛止することができるので、曲げ難いケーブル支持線２でも容易に吊架具１に掛止することができる。
【００３０】
また、実施形態１の吊架具１では、一対の第一掛止片部１３，１３、一対の第二掛止部１４，１４および第三掛止片部１５がその順に漸次下方に位置しており、一対の第一掛止片部１３，１３および第三掛止片部１５ではケーブル支持線２をその下側を通し、一対の第二掛止部１４，１４ではケーブル支持線２をその上側を通してケーブル支持線２を掛止するため、従来技術よりもケーブル支持線２の折曲げ回数や折曲げ角度が小さくなる。そのため、この点でも、曲げ難いケーブル支持線２を容易に吊架具１に掛止することができる。
【００３１】
さらに、一対の第一掛止片部１３，１３、一対の第二掛止部１４，１４および第三掛止片部１５がその順に漸次下方に位置していて、それらの掛止片部１３〜１５にケーブル支持線２を掛止するため、ケーブル支持線２やケーブル支持線２が支持している通信ケーブル（図示せず。）の余長を掛止片部１３〜１５の上下方向の高さの違いにより確保することが可能となり、クロージャ（図示せず。）等で通信ケーブル同士を接続するための余長を容易に確保することができる。
【００３２】
実施の形態２．
次に、実施形態２の架空ケーブルの吊架具１’について説明する。
【００３３】
図７（ａ），（ｂ）は、それぞれ実施形態２の吊架具１’の平面図、正面図である。また、図８は、実施形態２の吊架具１’を支柱３に取り付けてケーブル支持線２を引き留めた状態を示す斜視図、図９（ａ），（ｂ）は、それぞれケーブル支持線２を引き留めさせた状態の実施形態２の吊架具１’の平面図、正面図である。
【００３４】
実施形態２の架空ケーブルの吊架具１’も一枚の平板をカットおよび折曲げて構成したもので、図７〜図９に示すように、ボルト連結板部１１’の両側にそれぞれボルト連結板部１１’と面一な鉛直側面部１２ａ’，１２ａ’を有する腕部１２’，１２’が延設され、この腕部１２’，１２’にそれぞれ一対の第一掛止片部１３’，１３’および一対の第二掛止片部１４’，１４’を設けて構成されている。
【００３５】
ここで、実施形態２の架空ケーブルの吊架具１’では、実施形態１の架空ケーブルの吊架具１の腕部１２，１２とは異なり、腕部１２’，１２’に折曲げ部１２ｂ，１２ｂを設けていないため、ボルト連結板部１１’とその両側の腕部１２’，１２’とに一直線に貫く補強用リブ１２ａ１’を設けて腕部１２’，１２’の長手方向の曲げ剛性等を向上させている。
【００３６】
一対の第一掛止片部１３’，１３’は、腕部１２’，１２’の鉛直側面部１２ａ’，１２ａ’の下端部から支柱３とは反対側へコ字状に折り曲げられ、その先端側面１３ａ’，１３ａ’が上方へ向かう断面コ字状形状を有している。そのため、実施形態２の架空ケーブルの吊架具１’の第一掛止片部１３’，１３’では、実施形態１の第一掛止片部１３，１３とは異なり、上部開口の断面コ字状形状となるため、図８や図９（ａ），（ｂ）に示すように、第一掛止片部１３’，１３’の上側をケーブル支持線２が通ることになる。なお、実施形態２の第一掛止片部１３’，１３’の先端側面１３ａ’，１３ａ’にも、図７（ｂ）に示すように傾斜辺部１３ａ１’，１３ａ１’を形成している。
【００３７】
一対の第二掛止片部１４’，１４’は、腕部１２’，１２’の鉛直側面部１２ａ’，１２ａ’の下端部から支柱３とは反対側へ断面アングル形状、すなわちＬ字形状に折り曲げられて構成されている。そして、実施形態２の第二掛止片部１４’，１４’では、実施形態１の第二掛止片部１４，１４とは異なり、図８や図９（ａ），（ｂ）に示すように、第二掛止片部１４’，１４’の下側をケーブル支持線２が通る。なお、一対の第二掛止片部１４’，１４’では、上下方向（鉛直方向）に延びる先端側面を設けていないため、吊架具１’の表側からケーブル支持線２を通し易いという効果がある。
【００３８】
第三掛止片部１５’は、一対の第一掛止片部１３’，１３’および一対の第二掛止片部側１４’，１４’と同じ側にほぼ直角に折れ曲った後、再度、ボルト連結板部１１と面一になるように上方にほぼ直角に折り曲げられている。そのため、実施形態２の第三掛止片部１５’では、実施形態１の第三掛止片部１５とは異なり、図８や図９（ａ），（ｂ）に示すように、第三掛止片部１５’の上側をケーブル支持線２が通ることになる。
【００３９】
ここで、実施形態２の吊架具１’では、実施形態１の吊架具１や後述する実施形態３の吊架具１”とは異なり、一対の第一掛止片部１３’，１３’、一対の第二掛止部１４’，１４’、第三掛止片部１５’とは、ほぼ水平方向の高さが同じ位置になって一直線状には並ぶように各掛止片部１３’〜１５’を設けている。
【００４０】
なお、実施形態２の吊架具１’の場合も、実施形態１の吊架具１と同様に、第一掛止片部１３’，１３’、第二掛止片部１４’，１４’の一方側から第三掛止片部１５’の順に通して、次いで第二掛止片部１４’，１４’の他方側、第一掛止片部１３’，１３’の他方側と通していく。
【００４１】
従って、実施形態２の吊架具１’では、実施形態１の吊架具１と同様に、一枚の平板からなり、その平板は、ボルト連結板部１１’と、一対の腕部１２’，１２’と、一対の第一掛止片部１３’，１３’と、一対の第二掛止片部１４’，１４’と、第三掛止片部１５’とを有するため、吊架具１’の部品点数が一点になり、吊架具１’の構造を単純にすることができると共に、支柱３側から延びる固定ボルト４ａに直接、ボルト連結板部１１’を固定できるため、振動にも強いケーブル支持線２の吊架具１’を提供できると共に、ケーブル支持線２をボルト連結板部１１’の表側である支柱３とは反対側から各掛止片部１３’〜１５’に対して掛止することができるので、曲げ難いケーブル支持線２でも支柱３に容易に張架できる。
【００４２】
実施の形態３．
次に、実施形態３の架空ケーブルの吊架具１”について説明する。
図１０（ａ），（ｂ）および図１１は、それぞれ実施形態３の吊架具１”の平面図、正面図、背面図である。また、図１２は、実施形態３の吊架具１”を支柱３に取り付けてケーブル支持線２を引き留めた状態を示す斜視図、図１３（ａ），（ｂ）は、それぞれケーブル支持線２を引き留めさせた状態の実施形態３の吊架具１”の平面図、正面図である。
【００４３】
図１０〜図１３に示すように、実施形態３の架空ケーブルの吊架具１”は、ボルト連結板部１１”の両側に、それぞれボルト連結板部１１”と面一な鉛直側面部１２ａ”，１２ａ”と、その鉛直側面部１２ａ”，１２ａ”に対し折り曲げられた折曲げ部１２ｂ”，１２ｂ”とを有する断面アングル形状に腕部１２”，１２”が延設され、この腕部１２”，１２”にそれぞれ一対の第一掛止片部１３”，１３”および一対の第二掛止片部１４”，１４”が設けられていると共に、ボルト連結板部１１”の下端部に第三掛止片部１５”が設けられて構成されている。
【００４４】
一対の第一掛止片部１３”，１３”は、腕部１２”，１２”の鉛直側面部１２ａ”，１２ａ”から上方へ突出した後、実施形態１の第一掛止片部１３，１３および実施形態２の第一掛止片部１３’，１３’とは異なり、支柱３側である腕部１２”，１２”の折曲げ部１２ｂ”，１２ｂ”とは反対側へコ字状に折り曲げられ、その先端側面１３ａ”，１３ａ”が上方へ向かう断面コ字状形状を有している。そのため、実施形態３の第一掛止片部１３”，１３”では、ケーブル支持線２が第一掛止片部１３”，１３”の上側を通るものの、実施形態１の第一掛止片部１３，１３および実施形態２の第一掛止片部１３’，１３’とは異なり、図１２や図１３（ａ），（ｂ）に示すように第三掛止片部１５”の支柱３側である裏側をケーブル支持線２が通ることになる。なお、実施形態３の第一掛止片部第一掛止片部１３”，１３” の先端側面１３ａ”，１３ａ”にも、図１１に示すように傾斜辺部１３ａ１”，１３ａ１”を形成している。
【００４５】
そのため、実施形態３の第一掛止片部１３”，１３”では、それぞれ、第三掛止片部１５”側の側辺に、ケーブル支持線２を上方から押え付ける押さえ付け片１３ｃ”，１３ｃ”を突出させると共に折り曲げることによって設けている。そのため、ケーブル支持線２を第一掛止片部１３”，１３”から第二掛止片部１４”，１４”へ通して掛止するときに確実に掛止することができる。
【００４６】
一対の第二掛止片部１４”，１４”は、それぞれ腕部１２”，１２”の折曲げ部１２ｂ”，１２ｂ”から上方へ折り曲げられて延設し、腕部１２，１２の鉛直側面部１２ａ，１２ａおよび折曲げ部１２ｂ，１２ｂとにより断面コ字状に形成されている。そのため、実施形態３の第二掛止片部１４”，１４”では、実施形態１の第二掛止片部１４，１４と同様に、図１２や図１３（ａ），（ｂ）に示すように、第二掛止片部１４”，１４”の上側をケーブル支持線２が通る。
【００４７】
第三掛止片部１５”は、実施形態１の第三掛止片部１５と同様に、ボルト連結板部１１”の下端部から面一で突出した後、腕部１２”，１２”の折曲げ部１２ｂ”，１２ｂ”と平行になるように折り曲がった後、ボルト連結板部１１”と面一になるように下方に折り曲げられて構成されている。そのため、実施形態３の第三掛止片部１５”では、実施形態１の第三掛止片部１５と同様、図１２や図１３（ａ），（ｂ）に示すように、第三掛止片部１５”の下側をケーブル支持線２が通ることになる。
【００４８】
ここで、実施形態３の吊架具１”では、実施形態１の吊架具１と同様に、一対の第一掛止片部１３”，１３”、一対の第二掛止部１４”，１４”、第三掛止片部１５”の順に漸次下方に位置するよう各掛止片部１３”〜１５”を設けている。
【００４９】
なお、実施形態３の吊架具１”の場合も、第一掛止片部１３”，１３”、第二掛止片部１４”，１４”の一方側から第三掛止片部１５”の順に通して、次いで第二掛止片部１４”，１４”の他方側、第一掛止片部１３”，１３”の他方側と通して引き留める。
【００５０】
従って、実施形態３の吊架具１”では、実施形態１，２の吊架具１，１’と同様に、一枚の平板からなり、その平板は、ボルト連結板部１１”と、一対の腕部１２”，１２”と、一対の第一掛止片部１３”，１３”と、一対の第二掛止片部１４”，１４”と、第三掛止片部１５”とを有するため、吊架具１”の部品点数が一点になり、吊架具１”の構造を単純にすることができると共に、振動にも強いケーブル支持線２の吊架具１”を提供できる。
【００５１】
また、実施形態３の吊架具１”では、実施形態１の吊架具１と同様に、一対の第一掛止片部１３”，１３”、一対の第二掛止部１４”，１４”、第三掛止片部１５”の順に漸次下方に位置するため、従来技術よりもケーブル支持線２の折曲げ回数や折曲げ角度が小さくなり、曲げ難いケーブル支持線２を容易に吊架具１に掛止することができると共に、ケーブル支持線２やケーブル支持線２が支持している通信ケーブル（図示せず。）の余長を掛止片部１３〜１５の上下方向の高さの違いにより確保することが可能となり、クロージャ（図示せず。）等で通信ケーブル同士を接続するための余長を容易に確保することができる。
【００５２】
特に、実施形態３の吊架具１”の第一掛止片部１３”，１３”は、腕部１２”，１２”の鉛直側面部１２ａ”，１２ａ”から上方へ突出した後、実施形態１の第一掛止片部１３，１３および実施形態２の第一掛止片部１３’，１３’や、一対の第二掛止片部１４”，１４”と、第三掛止片部１５”とは異なり、支柱３側である腕部１２”，１２”の折曲げ部１２ｂ”，１２ｂ”とは反対側へコ字状に折り曲げられて断面コ字状形状に形成されている。そのため、実施形態３の吊架具１”では、実施形態１，２の吊架具１，１’とは異なり、第三掛止片部１５”の裏側と表側とをケーブル支持線２が通ることになるので、実施形態１，２の吊架具１，１’よりもケーブル支持線２の引留力（掛止力）を向上させることができる。
【００５３】
なお、上記実施形態１〜３の架空ケーブルの吊架具１，１’，１”では、ボルト連結板部１１，１１’，１１”に１つのボルト孔１１ａ，１１ａ’，１１ａ”を設けて説明したが、本発明では、これに限らず、複数のボルト孔を設けても良い。
【００５４】
図１４（ａ），（ｂ）は、例えば、実施形態１の架空ケーブルの吊架具１のボルト連結板部１１に３つのボルト孔１１ｂを設けた例を示している。ここで、この３つのボルト孔１１ｂは、上記実施形態１〜３のボルト孔１１ａ，１１ａ’，１１ａ”と同様に真円の丸孔でも良いが、図１４（ａ），（ｂ）に示すように上下方向（鉛直方向）に長い縦長孔としている。
【００５５】
そのため、図１５に示すように、これら３つのボルト孔１１ｂ’を適宜選択して使用することにより、ケーブル支持線２の余長やテンションを調整して支柱３に取り付けることができる。また、３つのボルト孔１１ｂ’は、それぞれ、上下方向（鉛直方向）に長い縦長孔としているため、上下方向の調整が簡単になる。特に、上記実施形態１〜３の架空ケーブルの吊架具１，１’，１”では、ボルト孔１１ａ，１１ａ’，１１ａ”が１つであったため、吊架具１，１’，１”の取付け角度は、任意に設定可能であるが、３つのボルト孔１１ｂ全てに３本のボルトを挿入して支柱３に取り付ける場合には、３つのボルト孔１１ｂ全てが真円の丸孔であると３本のボルトの配列方向に影響されるが、３つのボルト孔１１ｂが上下方向（鉛直方向）に長い縦長孔であるため、３本のボルトの配列方向に影響されずに吊架具１を支柱３に取り付けること可能となる。
【符号の説明】
【００５６】
１，１’，１”  架空ケーブルの吊架具
１１，１１’，１１”  ボルト連結板部
１１ａ，１１ａ’，１１ａ”，１１ｂ  ボルト孔
１２，１２，１２’，１２’，１２”，１２”  腕部
１２ａ，１２ａ，１２ａ’，１２ａ’，１２ａ”，１２ａ”  鉛直側面部
１２ｂ，１２ｂ，１２ｂ”，１２ｂ”  折曲げ部
１３，１３，１３’，１３’，１３”，１３”第一掛止片部
１４，１４，１４’，１４’，１４”，１４”第二掛止片部
１５，１５’，１５”  第三掛止片部
【図１】
2015033197.tif 000003
【図２】
2015033197.tif 000004
【図３】
2015033197.tif 000005
【図４】
2015033197.tif 000006
【図５】
2015033197.tif 000007
【図６】
2015033197.tif 000008
【図７】
2015033197.tif 000009
【図８】
2015033197.tif 000010
【図９】
2015033197.tif 000011
【図１０】
2015033197.tif 000012
【図１１】
2015033197.tif 000013
【図１２】
2015033197.tif 000014
【図１３】
2015033197.tif 000015
【図１４】
2015033197.tif 000016
【図１５】
2015033197.tif 000017